(57)【要約】      （修正有）【課題】表面から見ると一体に見えるが分割ができて、傘収納部と一体にしたパーテーション付き傘収納具を提供する。【解決手段】パーテーション本体１と傘収納部４よりなり、パーテーション本体１は傘の長さより高さが長く、パーテーションの裏側に傘収納部４を設け、パーテーションと傘収納部４を一体化したパーテーション本体１は傘収納部４より横幅があり、パーテーション本体１は傘の長さより高さが長い。【選択図】図１
0003199359.tif 000002
【実用新案登録請求の範囲】
【請求項１】
パーテーション本体と傘収納部よりなり、パーテーション本体は傘の長さより高さが長く、パーテーションの裏側に傘収納部を設け、パーテーションと傘収納部を一体化したことを特徴としたパーテンション付き傘収納具。
【請求項２】
パーテーション本体は傘収納部より横幅があり、パーテーション本体は傘の長さより高さが長く、パーテーションの裏側に傘収納部を設け、パーテーションと傘収納部を一体化したことを特徴とした請求項１に記載のパーテンション付き傘収納具。
【請求項３】
パーテーション上部をパーテーション下部へスライドして引き下げることができることを特徴とした請求項１または２に記載のパーテーション付き傘収納具。
【請求項４】
パーテーション本体の中ほどに蝶番をつけて外側に開くことができるようにしたことを特徴とした請求項１に記載のパーテーション付き傘収納具。
【請求項５】
傘収納部とパーテーション本体の横幅が同一であることを特徴とした請求項１に記載のパーテーション付き傘収納具。
【考案の詳細な説明】
【技術分野】
【０００１】
この考案は、パーテーションの裏側に傘収納具を取り付けたパーテーション付き傘収納具に関するものである。パーテーションは表面から見ると一体に見えるが分割もできて傘収納部と一体にしたパーテーション付き傘収納具に関するものである。
【背景技術】
【０００２】
従来傘は、傘たてが無い場合直に置き放たれており、傘たてに納まっている時もその状態を目の当たりにしていた。壁の一部を加工して傘たて及び傘を収納するものはあったが壁を壊す事は建物の強度が弱くなり簡単に設備化することは困難であった。
【先行技術文献】
【特許文献】
【０００３】
【特許文献１】特開平―２４４１２４号公報
【考案の概要】
【考案が解決しようとする課題】
【０００４】
１、従来、傘たてに収納した傘や、玄関に直おきの傘は見た目に悪く玄関ブースの環境を低下させていた。
２、直射日光による色あせ、外気の埃と汚れで不快を感じていた。
【課題を解決するための手段】
【０００５】
玄関ブースの直置きの傘、傘たての傘などを視界から隠し、直射日光による色あせ外気による埃や汚れからも守るために傘たてにパーテーションを設けた。玄関ブースも整理整頓されてスッキリしたパーテーション付き傘収納具である。
【０００６】
第1の考案は、パーテーション本体と傘収納部よりなり、パーテーション本体は傘の長さ
より高さが長く、パーテーションの裏側に傘収納部を設け、パーテーションと傘収納部を一体化したパーテンション付き傘収納具である。
第２の考案は、第1の考案において、パーテーション本体は傘収納部より横幅があり、
パーテーション本体は傘の長さより高さが長く、パーテーションの裏側に傘収納部を設け、パーテーションと傘収納部を一体化したパーテンション付き傘収納具である。
第３の考案は、第1または第２の考案において、  パーテーション上部をパーテーショ
ン下部へスライドして引き下げることができるパーテーション付き傘収納具である。
第４の考案は、第1または第２の考案において、パーテーション本体の中ほどに蝶番をつ
けて外側に開くことができるようにしたパーテーション付き傘収納具。
第４の考案は、第1の考案において、傘収納部とパーテーション本体の横幅が同一である
パーテーション付き傘収納具である。        
【考案の効果】
【０００７】
この考案はパーテーションの裏側に傘収納部が設けてあるので傘たてや傘など表面からは見えない。パーテーションで直射日光を遮るので傘の色あせ、外気からの埃、汚れを遅らす事が出来る。玄関ブースのまとまりがよくスマートで美観が保たれる
【図面の簡単な説明】
【０００８】
【図１】本考案の実施例を示す図である。
【図２】本考案の他の実施例を示す図である。（傘収納部が異なる）
【図３】本考案の他の実施例を示す図である。（傘収納部が丸い）
【図４】考案の他の実施例を示す図である。（パーテーション上部がパーテーション下部の裏側に入る。）
【図５】考案の他の実施例を示す図である。（蝶番をもつ）
【図６】考案の他の実施例を示す図である。（三角形）
【図７】考案の他の実施例を示す図である。（様々な傘収納部を示す。）
【図８】考案の他の実施例を示す図である。（裏側から見た図）
【考案を実施するための形態】
【０００９】
以下  本考案実施のための形態について説明する.  図１のようにパーテーション本体（
１）は傘収納部（４）より横幅が広く、図８に示すように傘の丈より高い。図１のDは、
中央部付近の断面図である。  図２のHは、中央部付近の断面図である。図３のLは中央部付近の断面図である。図４のNは中央部付近の断面図である。図５のPは中央部付近の断面図である。
【００１０】
出し入れする時は図１−C、図２―G、図３−K、図６−Rに示したようにパーテーション上部（２）を引き下げると傘収納部（４）が現れる。パーテーション本体（１）と傘収納部（４）が一体化したパーテーション付き傘収納具である。玄関ブースの形状、使用方法により図６、図７のように傘収納部（４）の形状を選択できるようにもしたパーテーション付き傘収納具である。図７のイは上から見た三角形状の図である。ロは上から見た円形状の図である。ハは上から見た方形状の図である。
【００１１】
図１、図２、図３のようにパーテーション上部（２）はパーテーション下部(３)の表側にスライドできるまた図４、図６はパーテーション上部（２）をパーテーション下部（３）の裏側にスライドすることができる。パーテーション本体（１）の材質は耐候性に優れ、丈夫でまたアート印刷、メイクアップなど施す事ができるポリカーボネイト、アクリル板などが好ましい。傘収納部の材質は金属質、珪藻土、ゴム、アルミ、プラスチック、などが良いと思う。
【００１２】
その絵柄が美しい傘も閉じていると貧相に見えて傘たてに入っていても玄関ブースの美観を損ねている。また杖、バットも玄関先を混雑させている。現状をスマートに変身したいといろいろ試してみた結果、傘収納部（４）より横幅が広く図８のように傘の丈より高いパーテーション本体（１）と傘収納部（４）を一体化して玄関ブースが整頓されスマートになった。
【００１３】
パーテーション本体（１）の全長が長いので傘収納部（４）へ出し入れするときパーテーションの上部（２）をパーテーションの下部（３）へスライドすると傘収納部（４）が現れるようにしたパーテーション付き傘収納である。
玄関ブースに面したときパーテーション本体（１）の表面をアート印刷などのメイクアップを施して更に明るくした。
【産業上の利用可能性】
【００１４】
お玄関はおうちの顔とも言われています。傘たてや傘などが乱雑に置かれていたりする
と暗い気持ちになります。それらを解決する方法にこのパーテーション付き傘収納は、傘、杖、バットなどコンパクトに収納してパーテーションの裏側に隠し玄関前の雰囲気が良い、生活上利用価値があると思います。
【符号の説明】
【００１５】
１  パーテーション本体
２  パーテーション上部
３  パーテーション下部  ４  傘収納部
５  蝶番
【図１】
0003199359.tif 000003
【図２】
0003199359.tif 000004
【図３】
0003199359.tif 000005
【図４】
0003199359.tif 000006
【図５】
0003199359.tif 000007
【図６】
0003199359.tif 000008
【図７】
0003199359.tif 000009
【図８】
0003199359.tif 000010